(57)【要約】【課題】コンパクトな構造で遮光性能に優れた光学機器の遮光構造を提供する。【解決手段】相対摺動可能な嵌合部を有し、該嵌合部のオーバーラップ量を変化させる第１と第２の相対移動部材と、第１と第２の相対移動部材の嵌合部の間に保持され、両嵌合部のオーバーラップ量が小さいとき光軸側に向けて立ち上がる遮光壁形状となり、両嵌合部のオーバーラップ量が大きくなると、両嵌合部の対向面間に収納されるように弾性変形される薄板状の遮光部材を有することを特徴とする光学機器の遮光構造。【選択図】図７
2007310099.tif 000002
【特許請求の範囲】
【請求項１】
相対摺動可能な嵌合部を有し、該嵌合部のオーバーラップ量を変化させる第１と第２の相対移動部材と；
第１と第２の相対移動部材の嵌合部の間に保持され、両嵌合部のオーバーラップ量が小さいとき光軸側に向けて立ち上がる遮光壁形状となり、両嵌合部のオーバーラップ量が大きくなると、両嵌合部の対向面間に収納されるように弾性変形する薄板状の遮光部材と；
を有することを特徴とする光学機器の遮光構造。
【請求項２】
請求項１記載の光学機器の遮光構造において、前記遮光部材は、
第１と第２の相対移動部材の嵌合部のうち、光軸から遠い外径側に位置する外径側嵌合部の光軸側内面に固定される固定部と；
自由状態で前記固定部に対して光軸側に突出するように形成され、該突出状態から前記外径側嵌合部に接近する方向に弾性変形可能な弾性変形遮光部と；
を有する光学機器の遮光構造。
【請求項３】
請求項２記載の光学機器の遮光構造において、前記弾性変形遮光部は、第１と第２の相対移動部材の嵌合部のオーバーラップ量が大きくなるとき、該嵌合部のうち光軸に近い内径側に位置する内径側嵌合部に当接して、前記外径側嵌合部に接近する方向に弾性変形される光学機器の遮光構造。
【請求項４】
請求項２または３記載の光学機器の遮光構造において、前記弾性変形遮光部は遮光部材の一部を弧状に湾曲させて形成されている光学機器の遮光構造。
【請求項５】
請求項２または３記載の光学機器の遮光構造において、前記弾性変形遮光部は遮光部材の一部を折り曲げて形成されている光学機器の遮光構造。
【請求項６】
請求項２ないし５のいずれか１項記載の光学機器の遮光構造において、前記第１と第２の相対移動部材は光軸と平行な方向に相対移動し、前記遮光部材の弾性変形遮光部は、光軸方向後方に進むにつれて徐々に外径側嵌合部から光軸側への突出量を大きくするように傾斜している光学機器の遮光構造。
【請求項７】
相対摺動可能な嵌合部を有し、該嵌合部のオーバーラップ量を変化させる第１と第２の相対移動部材と；
第１と第２の相対移動部材の嵌合部の間に保持され、この第１と第２の相対移動部材の相対移動方向に長く伸展されて両嵌合部間に収納される収納状態と、一部を光軸側に突出させて嵌合部から像面側へ向かう内面反射光を遮る起立遮光状態とに弾性変形する遮光部材と；
を有することを特徴とする光学機器の遮光構造。
【発明の詳細な説明】
【技術分野】
【０００１】
本発明は、光学機器の遮光構造に関する。
【背景技術】
【０００２】
カメラなどの光学機器においては、光路内の有害な反射光を遮断するべく様々な遮光構造が提案されている。例えば、反射部位に黒色の艶消し塗装（反射防止塗装）を施したり植毛紙を貼付する遮光構造が知られている。また特許文献１のように、光軸と直交する方向に突出する独自の遮光部材（フレアカッター）を設ける構造がある。
【０００３】
ところが、構造上の制約から、以上のような遮光構造を設けることが難しい場合や、十分な遮光効果を得にくい場合がある。このような例として、光軸方向に相対移動して互いのオーバーラップ量を変化させる第１と第２の相対移動部材１１、１２を図１と図２に示す。図１は光学機器の使用状態、図２は非使用状態を示しており、図中におけるＯＡは光学系の光軸、ＣＦは像面である。
【０００４】
光学機器の非使用状態では、図２に示すように、第１相対移動部材１１と第２相対移動部材１２のほとんどの領域が互いに重なっている。一方、光学機器を使用する状態では、第１相対移動部材１１と第２相対移動部材１２は互いのオーバーラップ量を小さくするように相対移動して図１に示す位置関係になる。このように使用状態と非使用状態でオーバーラップ量を異ならせる相対移動部材を備えた光学機器として、例えばコンパクトカメラのレンズ鏡筒が良く知られている。そして、図１の使用状態では、第１相対移動部材１１の光軸側内面１１ａの一部が光路側（光軸ＯＡ側）に露出しており、同図に矢印で示すように、この光軸側内面１１ａによる反射光が像面ＣＦに入射して害を及ぼすおそれがある。
【０００５】
第１相対移動部材１１の内面反射を抑えるためには、光軸側内面１１ａ上に反射防止塗装を施す、あるいは植毛紙を貼付する、といった対策が考えられる。しかし、第１相対移動部材１１と第２相対移動部材１２の間隔が狭いと、光軸側内面１１ａ上に設けた反射防止塗装や植毛紙が第２相対移動部材１２と干渉するおそれがある。例えば、植毛紙は薄いものでも１００μｍから２００μｍ程度の厚さを有するので、第１相対移動部材１１と第２相対移動部材１２の間隔が数十μｍ程度と狭い場合、第１相対移動部材１１と第２相対移動部材１２の相対移動の繰り返しによって負荷がかかり剥がれてしまったり、相対移動時の抵抗となってしまう可能性がある。また反射防止塗装は、特に筆塗りでの塗布の場合に膜厚管理が難しく、これも第１相対移動部材１１と第２相対移動部材１２の間隔が狭い場合の遮光構造としては適さない。さらに、光軸側内面１１ａに対してほぼ全反射してしまうほど大きな入射角で光が入射した場合には、反射防止塗装を施してあっても十分な遮光効果が得られないおそれがある。
【０００６】
内面反射を抑える別の手法として、第１相対移動部材１１の後端部に環状の遮光用部材を設けてもよいが、全体構造が大型化、煩雑化してしまうデメリットがある。また、第１相対移動部材１１の後端位置では、光路を正しく通る正規光線と内面反射光線が重複して内面反射光線のみ遮光することが難しく、この位置に遮光部材を設けることが適さない場合がある。また、第１相対移動部材１１の後端部も摺動部になっている場合、当該後端部に遮光部材を設けること自体が難しい。
【特許文献１】特開平１１-３０５０９８号公報
【発明の開示】
【発明が解決しようとする課題】
【０００７】
本発明は、コンパクトな構造でありながら遮光性能に優れた、光学機器の遮光構造を提供することを目的とする。
【課題を解決するための手段】
【０００８】
本発明の遮光構造は、相対摺動可能によって互いの嵌合部のオーバーラップ量を変化させる第１と第２の相対移動部材と、第１と第２の相対移動部材の嵌合部の間に保持され、両嵌合部のオーバーラップ量が小さいとき光軸側に向けて立ち上がる遮光壁形状となり、両嵌合部のオーバーラップ量が大きくなると、両嵌合部の対向面間に収納されるように弾性変形する薄板状の遮光部材とを有することを特徴としている。
【０００９】
遮光部材は、第１と第２の相対移動部材の嵌合部のうち、光軸から遠い外径側に位置する外径側嵌合部の光軸側内面に固定される固定部と、自由状態で固定部に対して光軸側に突出するように形成され、該突出状態から外径側嵌合部に接近する方向に弾性変形可能な弾性変形遮光部とを有することが好ましい。弾性変形遮光部は、第１と第２の相対移動部材の嵌合部のオーバーラップ量が大きくなるとき、光軸に近い内径側に位置する内径側嵌合部に当接して、外径側嵌合部に接近する方向に弾性変形させることができる。
【００１０】
遮光部材の弾性変形遮光部は、遮光部材の一部を弧状に湾曲させて形成してもよいし、あるいは遮光部材の一部を折り曲げて形成してもよい。
【００１１】
第１と第２の相対移動部材が光軸と平行な方向に相対移動する場合、遮光部材の弾性変形遮光部は、光軸方向後方に進むにつれて徐々に外径側嵌合部から光軸側への突出量を大きくするように傾斜されているとよい。
【００１２】
本発明の遮光構造はまた、相対摺動可能な嵌合部を有し、該嵌合部のオーバーラップ量を変化させる第１と第２の相対移動部材と、第１と第２の相対移動部材の嵌合部の間に保持され、この第１と第２の相対移動部材の相対移動方向に長く伸展されて両嵌合部間に収納される収納状態と、一部を光軸側に突出させて嵌合部から像面側へ向かう内面反射光を遮る起立遮光状態とに弾性変形する遮光部材とを有することを特徴としている。
【発明の効果】
【００１３】
以上の本発明によれば、コンパクトで遮光性能に優れた遮光構造を得ることができる。
【発明を実施するための最良の形態】
【００１４】
図３及び図４に示す直進案内部材（相対移動部材）２１とレンズ保持部材（相対移動部材）２２は、コンパクトカメラのレンズ鏡筒を構成する部材である。直進案内部材２１はカメラ本体に対する回転が規制されており、レンズ保持部材２２は、撮影光学系（図示省略）を構成する複数のレンズ群のうちの一部を保持している。レンズ保持部材２２の外周面上には、撮影光学系の光軸ＯＡと略平行な３つの長溝（嵌合部、内径側嵌合部）２２ａが形成されている。直進案内部材２１は、光軸ＯＡを囲む環状部から前方に向けて３つのガイドキー（嵌合部、外径側嵌合部）２１ａを突出させており、それぞれのガイドキー２１ａが長溝２２ａに挿入される。ガイドキー２１ａと長溝２２ａは光軸ＯＡと平行な方向に相対移動可能に嵌合され、この嵌合関係によって、直進案内部材２１に対するレンズ保持部材２２の回転が規制される。つまり、レンズ保持部材２２は直進案内部材２１によって光軸ＯＡ方向に直進案内されている。
【００１５】
直進案内部材２１のひとつのガイドキー２１ａの光軸側内面２１ｂには、遮光片（遮光部材）２３が取り付けられる。図５に示すように、遮光片２３はガイドキー２１ａと略同幅の細長矩形の薄板状部材であり、直進案内部材２１とは別体の成形品として形成されている。図７及び図８に示すように、遮光片２３の板厚はガイドキー２１ａの光軸側内面（対向面）２１ｂと長溝２２ａの底面（対向面）２２ｂの間隔よりも薄い極薄厚に設定されている。遮光片２３は、光軸側内面２１ｂと略平行をなす平板状の固定部２３ａと、該固定部２３ａに対して弧状に曲げられた湾曲起立部（弾性変形遮光部）２３ｂを有していて、図６のように湾曲起立部２３ｂを光軸方向後方へ向けた状態で、固定部２３ａがガイドキー２１ａの光軸側内面２１ｂに対して固定される。固定部２３ａの固定には、両面テープや接着など適当な手段を用いる。この固定状態で遮光片２３の湾曲起立部２３ｂは、光軸方向後方に進むにつれてガイドキー２１ａの光軸側内面２１ｂから徐々に離れる（光軸ＯＡに近づく）ような立ち上がり形状となる。湾曲起立部２３ｂは弾性変形性を有し、自由状態では図７のような立ち上がり形状をなしているが、図８のように外径方向へ押圧されると、光軸側内面２１ｂに接近する方向に弾性変形することができる。このような弾性変形性を備える材質としてはステンレスや銅系材などの金属や合成樹脂が適しているが、遮光片２３の材質はこれに限定されない。また、遮光片２３の表面材質は、摺動抵抗が小さい乾式潤滑グレードのものが用いられる。さらに遮光片２３の表面には、反射を低減させるための艶消しの黒色塗装が施されている。
【００１６】
図７はレンズ鏡筒の撮影状態におけるガイドキー２１ａと長溝２２ａの相対位置関係を示す断面図で、図８は同レンズ鏡筒の収納状態（非撮影状態）におけるガイドキー２１ａと長溝２２ａの相対位置関係を示す断面図である。撮影状態と収納状態とに切り替わるとき直進案内部材２１とレンズ保持部材２２は光軸ＯＡと平行な方向に相対移動し、図８の鏡筒収納状態ではガイドキー２１ａと長溝２２ａのオーバーラップ量が大きくなり、図７の撮影状態ではガイドキー２１ａと長溝２２ａのオーバーラップ量が小さくなる。
【００１７】
図７の撮影状態では、長溝２２ａはガイドキー２１ａに対して相対的に前方（被写体側）に移動されており、ガイドキー２１ａの光軸側内面２１ｂの露出部分を遮光片２３が覆った状態となる。このとき湾曲起立部２３ｂは、レンズ保持部材２２に規制されることなく光軸ＯＡ側に立ち上がった自由状態に維持されている。この湾曲起立部２３ｂの立ち上がり状態では、ガイドキー２１ａの光軸側内面２１ｂ方向へ進む光は、図７に矢印で示すように湾曲起立部２３ｂによって像面側へ進まないようにカットされる。つまり、湾曲起立部２３ｂがガイドキー２１ａの内面反射を防ぐ遮光壁として機能する。この遮光状態における光軸側内面２１ｂからの湾曲起立部２３ｂの突出高さｈ（図７）は、撮影光路を正しく通る光線にケラレが生じないように設定されている。なお、遮光片２３自体が極薄であり、かつ湾曲起立部２３ｂが斜め後方に向けて延出されているため、湾曲起立部２３ｂの端面２３ｃにおいて像面側へ向かうような光の反射はほとんど生じず、画質に実質的な影響を及ぼすことはない。
【００１８】
図７の撮影状態から図８の収納状態になると、湾曲起立部２３ｂが長溝２２ａの底面２２ｂに当接してガイドキー２１ａの光軸側内面２１ｂに近づく方向に弾性変形され、ガイドキー２１ａの光軸側内面２１ｂと長溝２２ａの底面２２ｂの間に湾曲起立部２３ｂが収納される。このとき、自由状態に戻ろうとする湾曲起立部２３ｂの弾性応力が作用するが、遮光片２３が極薄の部材であること、その表面の潤滑性が高いこと、湾曲起立部２３ｂが斜め後方に向けて緩やかに湾曲した形状であることなどによって、ガイドキー２１ａと長溝２２ａの相対移動に対して遮光片２３（湾曲起立部２３ｂ）が与える負荷は極めて小さいものに抑えられる。逆に、図８の収納状態から図７の撮影状態になるときには、長溝２２ａがガイドキー２１ａに対して光軸方向前方に相対移動することによって湾曲起立部２３ｂを押さえていた規制が解除されるので、湾曲起立部２３ｂが自然に元の立ち上がり形状に復帰し、前述した遮光性能を発揮することができる。
【００１９】
以上のように、本実施形態の遮光構造では、ガイドキー２１ａと長溝２２ａの間に極薄板状の遮光片２３を設け、ガイドキー２１ａと長溝２２ａのオーバーラップ量が小さい撮影状態では、遮光片２３の湾曲起立部２３ｂが光軸ＯＡ側に立ち上がってガイドキー２１ａの内面反射光を遮り、ガイドキー２１ａと長溝２２ａのオーバーラップ量が大きい収納状態では、湾曲起立部２３ｂが平坦に近付くように弾性変形されて、遮光片２３全体がガイドキー２１ａと長溝２２ａの間に収納される。遮光片２３は、植毛紙に比して薄く形成することができ、また膜厚管理が難しい手塗りによる反射防止塗装に比べて高精度に厚みを設定することができる。そのため、遮光片２３は、直進案内部材２１やレンズ保持部材２２と干渉することなく、ガイドキー２１ａと長溝２２ａの間の狭い隙間に容易に配設することができる。また、遮光片２３の湾曲起立部２３ｂは、ガイドキー２１ａと長溝２２ａのオーバーラップ量の変化に応じて弾性変形し、収納状態では直進案内部材２１とレンズ保持部材２２の間のスペースに収納され、遮光性が要求される撮影状態時にのみ必要なだけ突出されるので、スペース効率が良い。また、極薄板状の湾曲起立部２３ｂは容易に弾性変形させることができるので、直進案内部材２１とレンズ保持部材２２の相対移動に対して与える抵抗は極めて小さく抑えることができる。また、遮光状態では遮光片２３の湾曲起立部２３ｂが光軸ＯＡ側に立ち上がった立体的な遮光壁形状となるため、ガイドキー２１ａの光軸側内面２１ｂに対する光の入射角が大きい場合でも、像面側への内面反射を確実に防止して高い遮光性能を得ることができる。また、遮光片２３を単独で形成してからガイドキー２１ａに固定する構造であるため、塗布や乾燥に手間のかかる反射防止塗装などに比して生産性が高い。遮光片２３自体も成形容易な形状である。また、遮光片２３の湾曲起立部２３ｂは、弧状に湾曲した形状なので、弾性変形時に特定の箇所に応力が集中せず、経年劣化しにくいという利点もある。
【００２０】
なお、遮光片２３における湾曲起立部２３ｂの遮光状態での高さ（固定部２３ａに対する立ち上げ角度や、固定部２３ａから端部２３ｃまでの長さ）は、前述のように撮影光路を正しく通る光線にケラレが生じない範囲内であれば、必要とされる遮光性能に応じて任意に設定することができる。
【００２１】
図９は本発明の異なる実施形態を示す。図９に示す遮光片（遮光部材）３３は、ガイドキー２１ａの光軸側内面２１ｂに固定される平板状の固定部３３ａと、該固定部３３ａに対して折り曲げ部３３ｃで折り曲げられて形成された折曲起立部（弾性変形遮光部）３３ｂを有し、先の実施形態の湾曲起立部２３ｂとは異なり、折曲起立部３３ｂは湾曲しない直線（平板）状に形成されている。湾曲起立部２３ｂと同様に折曲起立部３３ｂは、撮影状態（図９）ではガイドキー２１ａの光軸側内面２１ｂにおける反射光を像面側に到達させない遮光壁として機能する。図示しないが、収納状態では、折曲起立部３３ｂが長溝２２ａの底面２２ｂに当接して光軸側内面２１ｂに接近する方向に弾性変形され、図８の湾曲起立部２３ｂと同様に直進案内部材２１（光軸側内面２１ｂ）とレンズ保持部材２２（底面２２ｂ）の間に収納される。
【００２２】
以上、図示実施形態を参照して本発明の遮光構造を説明したが、本発明はこれらの実施形態に限定されるものではない。例えば、実施形態はレンズ鏡筒の構成部材における内面反射の防止構造に適用したものであるが、本発明の遮光構造は、レンズ鏡筒以外の光学機器にも適用可能である。
【図面の簡単な説明】
【００２３】
【図１】相対移動部材を有する光学機器における内面反射の発生状況の一例を示す断面図である。
【図２】図１の光学機器において第１と第２の相対移動部材のオーバーラップ量が大きくなった状態を示す断面図である。
【図３】本発明の遮光構造を適用したレンズ鏡筒の直進案内部材、レンズ保持部材及び遮光片の分解状態の斜視図である。
【図４】図３の分解状態から遮光片を直進案内部材のガイドキーに取り付けた状態を示す斜視図である。
【図５】図３の分解状態における遮光片とガイドキーの拡大斜視図である。
【図６】図４の取付状態における遮光片とガイドキーの拡大斜視図である。
【図７】レンズ鏡筒の撮影状態における遮光片の遮光機能を示す、直進案内部材（ガイドキー）、レンズ保持部材及び遮光片の断面図である。
【図８】レンズ鏡筒の収納状態における遮光片の弾性変形状態を示す、直進案内部材（ガイドキー）、レンズ保持部材及び遮光片の断面図である。
【図９】本発明の異なる実施形態を示す、直進案内部材（ガイドキー）、レンズ保持部材及び遮光片の断面図である。
【符号の説明】
【００２４】
２１  直進案内部材（相対移動部材）
２１ａ  ガイドキー（嵌合部、外径側嵌合部）
２１ｂ  ガイドキーの光軸側内面（対向面）
２２  レンズ保持部材（相対移動部材）
２２ａ  長溝（嵌合部、内径側嵌合部）
２２ｂ  長溝の底面（対向面）
２３  遮光片（遮光部材）
２３ａ  固定部
２３ｂ  湾曲起立部（弾性変形遮光部）
２３ｃ  湾曲起立部の端面
３３  遮光片（遮光部材）
３３ａ  固定部
３３ｂ  折曲起立部（弾性変形遮光部）
３３ｃ  折り曲げ部
【図１】
2007310099.tif 000003
【図２】
2007310099.tif 000004
【図３】
2007310099.tif 000005
【図４】
2007310099.tif 000006
【図５】
2007310099.tif 000007
【図６】
2007310099.tif 000008
【図７】
2007310099.tif 000009
【図８】
2007310099.tif 000010
【図９】
2007310099.tif 000011